(57)【要約】【課題】表示装置を有するカーナビゲーション等の主情報端末の補助表示装置として、携帯電話器等の携帯情報端末の表示装置を使用することができる。【解決手段】表示装置３ａを有する携帯可能の携帯情報端末３と、この携帯情報端末と共に双方向データ通信可能に構成される一方、表示装置、携帯情報端末との接続を検出する携帯情報端末検出手段、この携帯情報端末により携帯情報端末との接続を検出したときに、この表示装置にて複数のウインドウを重ねて表示すべき当該ウインドウの少なくとも１つを分離して、携帯情報端末の表示装置に表示させる多重表示情報分離手段、をそれぞれ備えたカーナビゲーション装置２と、を具備している。【選択図】  図１
2005284886.tif 000002
【特許請求の範囲】
【請求項１】
表示装置を有する携帯可能の携帯情報端末と、
この携帯情報端末と共に双方向データ通信可能に構成される一方、表示装置、上記携帯情報端末との接続を検出する携帯情報端末検出手段、この携帯情報端末により上記携帯情報端末との接続を検出したときに、この表示装置にて複数のウインドウを重ねて表示すべき当該ウインドウの少なくとも１つを分離して、上記携帯情報端末の表示装置に表示させる多重表示情報分離手段、をそれぞれ備えた主情報端末と、
を具備していることを特徴とする情報表示システム。
【請求項２】
上記主情報端末は、上記携帯情報端末検出手段により上記携帯情報端末との接続を検出したときに、この主情報端末の表示装置に表示していない情報を、上記携帯情報端末の表示装置に転送して表示させる非表示情報転送手段を、
具備していることを特徴とする請求項１記載の情報表示システム。
【請求項３】
上記主情報端末は、上記携帯情報端末検出手段により上記携帯情報端末との接続を検出したときに、この主情報端末の表示装置に表示していない情報を、上記携帯情報端末の表示装置に転送して表示させる際、上記携帯情報端末の表示装置に最適な大きさで拡大・縮小表示する手段を、
具備していることを特徴とする請求項１記載の情報表示システム。
【請求項４】
上記主情報端末は、上記携帯情報端末検出手段により上記携帯情報端末との接続を検出したときに、この主情報端末の操作パネルを表示する表示情報を、上記携帯情報端末の表示装置に表示させる操作パネル表示手段を、
具備していることを特徴とする請求項１〜３のいずれか１項に記載の情報表示システム。
【請求項５】
上記主情報端末は、上記携帯情報端末検出手段により上記携帯情報端末との接続を検出したときに、上記携帯情報端末の表示装置に表示すべき情報を、この主情報端末の表示装置に表示する携帯情報表示手段を、
具備していることを特徴とする請求項１〜４のいずれか１項に記載の情報表示システム。
【請求項６】
上記主情報端末は、上記携帯情報端末検出手段により上記携帯情報端末との接続を検出したときに、上記携帯情報端末の表示装置に表示すべき情報を、この主情報端末の表示装置に表示する際、その主情報端末の表示装置に最適な大きさで拡大・縮小表示する手段を、
具備していることを特徴とする請求項１〜５のいずれか１項に記載の情報表示システム。
【請求項７】
上記主情報端末は、上記携帯情報端末検出手段により上記携帯情報端末との接続を検出したときに、上記携帯情報端末またはこの主情報端末の表示装置に表示すべき情報を、これら携帯情報端末と主情報端末の表示装置にそれぞれ分割して表示する分割表示手段を、
具備していることを特徴とする請求項１〜６のいずれか１項に記載の情報表示システム。
【請求項８】
上記主情報端末は、上記携帯情報端末検出手段により上記携帯情報端末との接続を検出したときに、上記携帯情報端末の表示装置に表示すべき情報をこの主情報端末の表示装置に表示する一方、この主情報端末の表示装置に表示すべき情報を上記携帯情報端末の表示装置に表示させる主，補助画面入替表示手段を、
具備していることを特徴とする請求項１〜７のいずれか１項に記載の情報表示システム。
【請求項９】
上記主情報端末は、上記携帯情報端末検出手段により上記携帯情報端末との接続を検出したときに、上記携帯情報端末とこの主情報端末の操作具の機能を変更する操作機能変更手段を、
具備していることを特徴とする請求項１〜８のいずれか１項に記載の情報表示システム。
【請求項１０】
上記主情報端末は、上記携帯情報端末検出手段により上記携帯情報端末との接続を検出したときに、上記携帯情報端末の操作具に、上記主情報端末を遠隔操作するためのリモコン機能を付与するリモコン機能付与手段を、
具備していることを特徴とする請求項１〜９のいずれか１項に記載の情報表示システム。
【請求項１１】
上記主情報端末は、上記携帯情報端末検出手段により上記携帯情報端末との接続を検出したときに、この主情報端末の表示装置に表示すべき情報の入力が無いことを検出したときに、この主情報端末の表示装置に、上記携帯情報端末に表示されている情報を転送して表示させる第２の携帯情報表示手段を、具備していることを特徴とする請求項１〜１０のいずれか１項に記載の情報表示システム。
【請求項１２】
上記主情報端末は、車両の現在地と目的地とを地図の道路上で結ぶ案内経路を少なくとも表示する表示装置を有するカーナビゲーション装置であって、
ＴＶチューナまたは記録媒体再生機とその表示装置とを具備し、この表示装置を上記携帯情報端末の表示装置に置換したことを特徴とする請求項１〜１１のいずれか１項に記載の情報表示システム。
【発明の詳細な説明】
【技術分野】
【０００１】
本発明は、表示装置を有するカーナビゲーション装置等の主情報端末の補助表示装置として、携帯電話器等の携帯情報端末の表示装置を利用した情報表示システムに関する。
【背景技術】
【０００２】
一般に、この種のカーナビゲーション装置は、自動車の現在位置と目的地とを地図の道路上で結ぶ最適な案内ルート（案内経路）を探索し、この案内ルートとその途中のランドマーク等関連情報を含むカーナビゲーション情報を地図上に表示装置にて表示する機能を有する。
【０００３】
この種の従来のカーナビゲーション装置の表示例としては、案内ルートを地図上に表示するウインドウ上に、例えば次に曲がる交差点等一部を拡大表示する小ウインドウ、または案内ルートを説明する文字、図形、記号等を表示する小ウインドウ等を重ねて表示するマルチウインドウ方式がある（例えば、特許文献１，２参照）。
【０００４】
このマルチウインドウ方式によれば、複数のウインドウによりそれぞれ表示されたカーナビゲーション情報を１画面で見ることができるので、ユーザは多くのカーナビゲーション情報を簡単に一覧することができる。
【特許文献１】特開２００３−２４０５８９号公報（図３３、図４１）
【特許文献２】特開平１０−４３６６号公報（図１）
【発明の開示】
【発明が解決しようとする課題】
【０００５】
しかしながら、このような従来のマルチウインドウ方式では、１画面上で複数のウインドウを重ねて表示するので、その重ね表示されたウインドウの下に表示されている地図等情報の一部が隠れて見えなくなるという課題がある。
【０００６】
また、近年のカーナビゲーション装置では、その本体に、ＴＶ（テレビ）チューナやＤＶＤ（Ｄｉｇｉｔａｌ  Ｖｅｒｓａｔｉｌｅ  Ｄｉｓｃ）等記録媒体の再生器等を設け、専らカーナビゲーション情報の映像や音声を表示し出力する主表示装置と、専らＴＶ放送やＤＶＤ等再生情報の映像や音声を表示し出力する補助表示装置等、複数の表示装置を具備したものも知られている。
【０００７】
しかしながら、これら主，補助表示装置では、専らカーナビゲーション情報を表示し出力する主表示装置と、専らＴＶまたはＤＶＤ等の画像等を表示し出力する補助表示装置とにそれぞれ限定されており、カーナビゲーション情報を補助表示装置に表示出力し、ＴＶ／ＤＶＤ等の画像音声を主表示装置に表示し出力することはできないという課題がある。
【０００８】
本発明はこのような事情を考慮してなされたもので、その目的は、表示装置を有するカーナビゲーション等の主情報端末の補助表示装置として、携帯電話器等の携帯情報端末の表示装置を使用することができる情報表示システムを提供することにある。
【課題を解決するための手段】
【０００９】
請求項１に係る発明は、表示装置を有する携帯可能の携帯情報端末と、この携帯情報端末と共に双方向データ通信可能に構成される一方、表示装置、上記携帯情報端末との接続を検出する携帯情報端末検出手段、この携帯情報端末により上記携帯情報端末との接続を検出したときに、この表示装置にて複数のウインドウを重ねて表示すべき当該ウインドウの少なくとも１つを分離して、上記携帯情報端末の表示装置に表示させる多重表示情報分離手段、をそれぞれ備えた主情報端末と、を具備していることを特徴とする情報表示システムである。
【００１０】
請求項２に係る発明は、上記主情報端末は、上記携帯情報端末検出手段により上記携帯情報端末との接続を検出したときに、この主情報端末の表示装置に表示していない情報を、上記携帯情報端末の表示装置に転送して表示させる非表示情報転送手段を、具備していることを特徴とする請求項１記載の情報表示システムである。
【００１１】
請求項３に係る発明は、上記主情報端末は、上記携帯情報端末検出手段により上記携帯情報端末との接続を検出したときに、この主情報端末の表示装置に表示していない情報を、上記携帯情報端末の表示装置に転送して表示させる際、上記携帯情報端末の表示装置に最適な大きさで拡大・縮小表示する手段を、具備していることを特徴とする請求項１記載の情報表示システムである。
【００１２】
請求項４に係る発明は、上記主情報端末は、上記携帯情報端末検出手段により上記携帯情報端末との接続を検出したときに、この主情報端末の操作パネルを表示する表示情報を、上記携帯情報端末の表示装置に表示させる操作パネル表示手段を、具備していることを特徴とする請求項１〜３のいずれか１項に記載の情報表示システムである。
【００１３】
請求項５に係る発明は、上記主情報端末は、上記携帯情報端末検出手段により上記携帯情報端末との接続を検出したときに、上記携帯情報端末の表示装置に表示すべき情報を、この主情報端末の表示装置に表示させる携帯情報表示手段を、具備していることを特徴とする請求項１〜４のいずれか１項に記載の情報表示システムである。
【００１４】
請求項６に係る発明は、上記主情報端末は、上記携帯情報端末検出手段により上記携帯情報端末との接続を検出したときに、上記携帯情報端末の表示装置に表示すべき情報を、この主情報端末の表示装置に表示する際、その主情報端末の表示装置に最適な大きさで拡大・縮小表示する手段を、具備していることを特徴とする請求項１〜５のいずれか１項に記載の情報表示システムである。
【００１５】
請求項７に係る発明は、上記主情報端末は、上記携帯情報端末検出手段により上記携帯情報端末との接続を検出したときに、上記携帯情報端末またはこの主情報端末の表示装置に表示すべき情報を、これら携帯情報端末と主情報端末の表示装置にそれぞれ分割して表示する分割表示手段を、具備していることを特徴とする請求項１〜６のいずれか１項に記載の情報表示システムである。
【００１６】
請求項８に係る発明は、上記主情報端末は、上記携帯情報端末検出手段により上記携帯情報端末との接続を検出したときに、上記携帯情報端末の表示装置に表示すべき情報をこの主情報端末の表示装置に表示する一方、この主情報端末の表示装置に表示すべき情報を上記携帯情報端末の表示装置に表示させる主，補助画面入替表示手段を、具備していることを特徴とする請求項１〜７のいずれか１項に記載の情報表示システムである。
【００１７】
請求項９に係る発明は、上記主情報端末は、上記携帯情報端末検出手段により上記携帯情報端末との接続を検出したときに、上記携帯情報端末とこの情報端末の操作具の機能を変更する操作機能変更手段を、具備していることを特徴とする請求項１〜８のいずれか１項に記載の情報表示システムである。
【００１８】
請求項１０に係る発明は、上記主情報端末は、上記携帯情報端末検出手段により上記携帯情報端末との接続を検出したときに、上記携帯情報端末の操作具に、上記主情報端末を遠隔操作するためのリモコン機能を付与するリモコン機能付与手段を、具備していることを特徴とする請求項１〜９のいずれか１項に記載の情報表示システムである。
【００１９】
請求項１１に係る発明は、上記主情報端末は、上記携帯情報端末検出手段により上記携帯情報端末との接続を検出したときに、この主情報端末の表示装置に表示すべき情報の入力が無いことを検出したときに、この主情報端末の表示装置に、上記携帯情報端末に表示されている情報を転送して表示させる第２の携帯情報表示手段を、具備していることを特徴とする請求項１〜１０のいずれか１項に記載の情報表示システムムである。
【００２０】
請求項１２に係る発明は、上記主情報端末は、車両の現在地と目的地とを地図の道路上で結ぶ案内経路を少なくとも表示する表示装置を有するカーナビゲーション装置であって、ＴＶチューナまたは記録媒体再生機とその表示装置とを具備し、この表示装置を上記携帯情報端末の表示装置に置換したことを特徴とする請求項１〜１１のいずれか１項に記載の情報表示システムである。
【発明の効果】
【００２１】
本発明によれば、表示装置を有するカーナビゲーション装置等の主情報端末の補助表示装置として、携帯電話器等の携帯情報端末の表示装置を使用することができる。
【発明を実施するための最良の形態】
【００２２】
以下、本発明の実施形態を添付図面に基づいて説明する。なお、これら添付図面中、同一または相当部分には同一符号を付している。
【００２３】
［第１実施形態］
図１は本発明の第１実施形態に係る情報表示システム１の外観正面図、図２はその情報表示システム１に含まれる主情報端末の一例であるカーナビゲーション２の構成を示す機能ブロック図である。
【００２４】
図１に示すように情報表示システム１は、主情報端末の一例であるカーナビゲーション装置２と携帯情報端末３とを具備しており、カーナビゲーション装置２のモニタ２ａを主モニタとして使用する一方、携帯情報端末３のモニタ３ａを補助表示装置としても使用し得るように構成されている。
【００２５】
携帯情報端末３は、表示装置であるモニタ３ａを有する携帯電話器やＰＤＡ（Ｐｅｒｓｏｎａｌ  Ｄｉｇｉｔａｌ  Ａｓｓｉｓｔａｎｔ）、携帯ＴＶ（テレビ受像機）等携帯可能の情報端末である。
【００２６】
また、携帯情報端末３は、その例えばクレードル４に着脱自在に装着されたときに、図示しない充電器に接続されて充電される一方、カーナビゲーション装置２と電気的に接続される図示しない接続端子と、この接続端子を介してカーナビゲーション装置２に電気的に接続され、その接続の際に、カーナビゲーション装置２と双方向データ通信をすることができるデータ通信部（図示省略）と、電源スイッチ等所要の操作具を配設した操作部３ｂと、図示しないスピーカ等の音声出力手段と、を具備している。
【００２７】
携帯情報端末３は駆動用の電池を備えており、組み込まれている部品も特に耐高温性を有するものではなく、通常の品質のものからなり、高温になり易い自動車の車内に搭載される機器としては必ずしも適さないが、実際に人が乗車するような車内環境であれば、携帯情報端末３も動作可能であり、その機能を有効に活用することができる。
【００２８】
一方、図１に示すようにカーナビゲーション装置２は、表示装置の一例であるモニタ２ａおよび図示しないスピーカ等の音声出力手段とクレードル４とを具備すると共に、図２に示すようにカーナビゲーション情報とＴＶ（テレビ）情報の２系統の画像出力端を有する。
【００２９】
また、カーナビゲーション装置２は、図示しないＲＯＭ（Ｒｅａｄ−Ｏｎｌｙ  Ｍｅｍｏｒｙ）とＲＡＭ（Ｒａｎｄａｍ  Ａｃｃｅｓｓ  Ｍｅｍｏｒｙ）を作業領域または記憶領域として備えたＣＰＵ（Ｃｅｎｔｒａｌ  Ｐｒｏｃｅｓｓｉｎｇ  Ｕｎｉｔ）５、グラフィックコントローラ６、画面合成装置７、ＴＶ（テレビ）チューナ映像・入力ＩＦ（インターフェース）８、外部映像入力ＩＦ（インターフェース）９、外部映像出力ＩＦ（インターフェース）１０、接続検出回路１１、携帯情報端末３のＣＰＵ（Ｃｅｎｔｒａｌ  Ｐｒｏｃｅｓｓｉｎｇ  Ｕｎｉｔ）５と双方向データ通信を行なう外部端末ＩＦ（インターフェース）１２をそれぞれ具備している。
【００３０】
グラフィックコントローラ６はＣＰＵ５からの制御信号を受けて地図の描画等カーナビゲーション情報をモニタ２ａに映像や文字、記号等により表示するための情報を生成すると共に、このカーナビゲーション情報の映像信号を画面合成装置７に与える機能を有する。
【００３１】
画面合成装置７は、このカーナビゲーション情報と、外部映像入力ＩＦ９を介して携帯情報端末３から入力された外部映像情報と、ＴＶチューナ映像入力ＩＦ８を介して入力された図示しないＴＶチューナにより選局されたＴＶ放送番組情報と、を受けて、これら情報の中から、ＣＰＵ５からの制御信号により選択指示された所要の情報をモニタ２ａに主モニタとして表示させる一方、他の情報を外部映像出力ＩＦ１０を介して携帯情報端末３のモニタ３ａに補助モニタとして与え、このモニタ３ａに表示させる機能を有する。
【００３２】
すなわち、画面合成装置７は、ＣＰＵ５からの制御信号を受けて、ＴＶ映像情報、携帯情報端末３からの外部映像、グラフィックコントローラ６からのカーナビゲーション情報を適宜選択して、モニタ２ａまたは携帯情報端末３にそれぞれ表示させるようになっている。
【００３３】
接続検出回路１１は、クレードル回路４に配設され、このクレードル回路４に携帯情報端末３が挿入装着されたときに、その接続端子を介して携帯情報端末３がカーナビゲーション装置２に接続されたものとして検出し、その検出結果をＣＰＵ５に与える機能を有する。
【００３４】
ＣＰＵ５は、その携帯情報端末３との接続検出信号を受けたときに、外部端末ＩＦ１２を介して携帯情報端末３のＣＰＵ（図示せず）との間で制御信号を授受し、ＲＯＭまたはＲＡＭに入力された表示制御用処理プログラムに従って双方向データ通信を実行するようになっている。
【００３５】
ＣＰＵ５の表示制御手段としては、多重表示情報分離手段５ａ、主，補助画面入替表示手段５ｂ、非表示情報転送手段５ｃ、分割拡大表示手段５ｄ、携帯取外し時表示手段５ｅ、携帯情報表示手段５ｆ、操作パネル表示手段５ｇ、操作機能変更手段５ｈ、リモコン機能付与手段５ｉ、画像情報最適化手段５ｊを具備しており、カーナビゲーション装置２の図示しない表示モード選択手段によりこれら手段５ａ〜５ｊを適宜選択することができるように構成されている。また、これら手段５ａ〜５ｊはその各々の処理プログラムをＣＰＵ５のメモリに記録し、これら処理プログラムをＣＰＵ５により実行することにより実現される。
【００３６】
多重表示情報分離手段５ａは、図３で示すようにカーナビゲーション装置２の表示装置２ａに表示されているマルチウインドウ表示を、例えば親画面Ｗａと子画面Ｗｂのウインドウとに分離し、この子画面Ｗｂ情報を、携帯情報端末３に転送し、その表示装置３ａに補助画面として表示させる機能を有する。
【００３７】
図５は、このＣＰＵ５が多重表示情報分離手段５ａとして機能するための多重表示情報分離手段処理プログラムの一例を示すフローチャートであり、図中符号Ｓ１〜Ｓ５はフローチャートの各ステップを示している。
【００３８】
多重表示情報分離手段５ａは、図示しない表示モード選択手段により多重表示情報分離表示モードが選択されると、多重表示情報分離手段プログラムを起動（スタート）させ、まずＳ１で、外部端末を検出したか否かを判断する。
【００３９】
すなわち、多重表示情報分離手段５ａは、図１に示すように外部端末である携帯情報端末３がクレードル４内に挿入装着されているか否かを接続検出回路１１の検出結果を読み込み、Ｎｏ、すなわち携帯情報端末３がクレードル４に装着されていないと判断したときは、そのまま通常時、すなわち、図３で示すマルチウインドウを引き続き表示し、その後、再びＳ１へ戻り、Ｓ１以下のステップを繰り返す。
【００４０】
しかし、Ｓ１でＹｅｓ、すなわち、携帯情報端末３との接続を接続検出回路１１により検出したときには、次のＳ３で、子画面Ｗｂが有るか否かを検出し、Ｎｏ、すなわち子画面Ｗｂが無い１画面で表示していると判断したときには、Ｓ４で、そのまま、１画面を表示（通常表示）をそのまま続行する。この後、再び、Ｓ３へ戻り、Ｓ３以下のステップを繰り返す。
【００４１】
しかし、Ｓ３でＹｅｓ、すなわち、子画面Ｗｂがあると判断したときは、図３に示すようにカーナビゲーション装置２の表示装置２ａにより親画面Ｗａ上に重ねて表示されている子画面Ｗｂを消去する一方、この子画面Ｗｂを携帯情報端末３に転送し、その表示装置３ａに表示させる。
【００４２】
これにより、親画面Ｗａがカーナビゲーション装置２の表示装置２ａに、主画面として表示されると共に、その親画面Ｗａに随伴する音声が音声出力手段から出力される。一方、子画面Ｗｂが携帯情報端末３の表示装置３ａに、補助画面３ａとして表示されると共に、その子画面Ｗｂに随伴する所要の音声が音声出力手段から出力される。このために、これら親，子画面Ｗａ，ｂ同士が重ならないので、子画面Ｗｂにより親画面Ｗａの一部が重なって表示されなくなるのを防止することができる。
【００４３】
図６は、主，補助画面入替表示手段５ｂの処理プログラムのフローチャートであり、図中Ｓ１１〜Ｓ１６はフローチャートの各ステップを示す。
【００４４】
主，補助画面入替表示手段５ｂは、図７に示すように表示画面が小さい携帯情報端末３の表示装置３ａに表示されている小映像Ｗｃを、この携帯情報端末３の表示装置３ａよりも表示画面が大きいカーナビゲーション装置２の表示装置２ａに入力させて拡大表示する一方、この大画面の表示装置２ａに表示されている大映像Ｗｄを、携帯情報端末３の表示装置３ａに転送して縮小表示するものである。
【００４５】
すなわち、図６に示すように主，補助画面入替表示手段５ｂは、上記多重表示分離手段５ａと同様、まずＳ１１で、外部端末、すなわち、携帯情報端末３が接続されているか否かを接続検出回路１１を介して検出し、その接続が検出されない場合は、次のＳ１２で、カーナビゲーション装置２の表示装置２ａでの通常表示を続行する。
【００４６】
一方、Ｓ１１で、携帯情報端末３との接続有りを検出したときには、次のＳ１３へ進み、ここで、外部、つまり、携帯情報端末３へ出力すべき映像が有るか否かを判断する。すなわち、カーナビゲーション装置２の表示装置２ａに表示されている映像の中で、外部端末、すなわち、携帯情報端末３の表示装置３ａに表示すべき映像Ｗｄが有るか否かを判断し、ここで、有ると判断するとＳ１５で、この映像Ｗｄを携帯情報端末３の表示装置３ａに転送して縮小表示させると共に、その映像Ｗｄに随伴する音声を出力させる。
【００４７】
一方、次のＳ１６で、外部からの映像、すなわち、携帯情報端末３の表示装置３ａに表示されている映像Ｗｃをカーナビゲーション装置２へ読み込み、その表示装置２ａに拡大表示させると共に、この映像Ｗｃに随伴する音声を出力させる。
【００４８】
これにより、携帯情報端末３の表示装置３ａに表示されている、いわゆる補助画面の映像および音声と、カーナビゲーション装置２の表示装置２ａに表示されている、いわゆる主画面の映像および音声と、が相互に入れ替えられる。
【００４９】
このために、携帯情報端末３の表面装置３ａに表示されている映像を含む情報を、カーナビゲーション装置２の表示装置２ａにより拡大表示で見ることができると共に、その映像に伴なう音声を聞くことができる一方、カーナビゲーション装置２の表示装置２ａに表示されている映像を携帯情報端末３の表示装置３ａでも引き続き見ることができ、かつその映像に伴なう音声を聞くことができる。
【００５０】
したがって、この主，補助入替表示手段５ｂによれば、例えば携帯情報端末３がウェブサイト閲覧機能を有し、その所要のウェブサイトを携帯情報端末３にダウンロードして、その表示装置３ａに表示した後、カーナビゲーション装置２の表示装置２ａに転送して拡大表示させることができる。
【００５１】
一方、カーナビゲーション装置２の表示装置２ａに表示されていたカーナビゲーション情報を、例えば同乗者が所持している携帯情報端末３の表示装置３ａでも見ることができる。
【００５２】
なお、上記図６のＳ１５で、外部、すなわち、携帯情報端末３へ出力すべき映像Ｗｃがカーナビゲーション装置２の表示装置２ａに無い場合は、図８に示すように、携帯情報端末３の表示装置３ａに表示されている映像Ｗｃをカーナビゲーション装置２の表示装置２ａに拡大表示すると共に、音声を出力するが、カーナビゲーション装置２の表示装置２ａから携帯情報端末３に転送すべき映像が無いので、携帯情報端末３の表示装置３ａには表示されない。
【００５３】
図９は非表示情報転送手段５ｃの処理プログラムのフローチャートを示し、図中、符号Ｓ２１〜Ｓ２５はフローチャートの各ステップを示す。
【００５４】
図１０に示すように非表示情報転送手段５ｃは、カーナビゲーション装置２の表示装置２ａに表示されていないカーナビゲーション情報の中で、例えば文字情報等の非表示情報を携帯情報端末３に転送してその表示装置３ａに表示させるものである。
【００５５】
すなわち、図９に示すように非表示情報転送手段５ｃは、まずＳ２１で外部端末、すなわち携帯情報端末３がカーナビゲーション装置２に接続されているか否かを接続検出回路１１を介して判断し、これら両者が接続されていない、と判断したときは、カーナビゲーション装置２の表示装置２ａの表示をそのまま続行する（Ｓ２２）。
【００５６】
一方、Ｓ２１で、携帯情報端末３が接続されていると判断したときには、次のＳ２３で、カーナビゲーション装置２に、その表示装置２ａに表示されていない非表示情報、例えば文字情報が有るか否かを判断し、文字情報が無いと判断したときには、Ｓ２４で、その表示装置２ａによる通常表示を続行する。
【００５７】
しかし、Ｓ２３で、文字情報有りと判断したときには、その文字情報を携帯情報端末３に転送し、その表示装置３ａに表示させる。
【００５８】
したがって、この非表示情報転送手段５ｃによれば、カーナビゲーション装置２の表示装置２ａに表示されていない文字情報等の非表示情報を携帯情報端末３の表示装置３ａにより見ることができる。このために、カーナビゲーション情報をより多く表示することができる。
【００５９】
図１１は分割拡大表示手段５ｄの処理プログラムのフローチャートを示し、図中、符号Ｓ３１〜Ｓ３６はフローチャートの各ステップを示す。
【００６０】
図１２に示すように分割拡大表示手段５ｄは、カーナビゲーション装置２の表示装置２ａに表示されている映像Ｗｅと、携帯情報端末３の表示装置３ａに表示されているＷｆの一方、例えばＷｆを例えば２つに分割Ｗｆ１，Ｗｆ２し、これら２映像Ｗｆ１，Ｗｆ２をカーナビゲーション装置２と携帯情報端末３の両表示装置２ａ，３ａにそれぞれ表示させる機能を有する。
【００６１】
すなわち、図１１に示すように分割拡大表示手段５ｄは、まずＳ３１で外部端末、すなわち携帯情報端末３がカーナビゲーション装置２に接続されているか否かを接続検出回路１１を介して判断し、これら両者が接続されていない、と判断したときは、次のＳ３２で、カーナビゲーション装置２の表示装置２ａの表示をそのまま続行する。
【００６２】
一方、Ｓ３１で、携帯情報端末３が接続されていると判断したときには、次のＳ３３で、外部、すなわち携帯情報端末３から入力すべき映像Ｗｆが有るか否かを判断し、入力映像が無いと判断したときには、Ｓ３２で、その表示装置２ａによる通常表示を続行する。
【００６３】
しかし、Ｓ３３で、入力映像Ｗｆが有りと判断したときには、Ｓ３４で、その映像Ｗｆを例えば主画面用映像Ｗｆ１と子画面用映像Ｗｆ２とに分割する。
【００６４】
この後、Ｓ３５で、主画面用映像Ｗｆ１を主画面であるカーナビゲーション装置２の表示装置２ａに拡大表示し、その映像Ｗｆ１に伴う音声を音声出力手段から出力する一方、Ｓ３６で、子画面用映像Ｗｆ２を外部端末である携帯情報端末３へ転送し、子画面（補助画面）である表示装置３ａに拡大表示し、その映像に伴なう音声を音声出力手段から出力する。
【００６５】
したがって、この分割拡大表示手段５ｄによれば、例えば携帯情報端末３の表示装置３ａに表示された１画面の映像Ｗｆを、例えば２画面映像Ｗｆ１，Ｗｆ２に分割してカーナビゲーション装置２と携帯情報端末３の両表示装置２ａ，３ａにそれぞれ拡大表示することができる。
【００６６】
なお、この分割拡大表示手段５ｄは、カーナビゲーション装置２の表示装置２ａに表示される映像Ｗｅを、主画面用と子画面とに２分割して、これら映像をカーナビゲーション装置２と携帯情報端末３の両表示装置２ａ，３ａにそれぞれ拡大表示するように構成してもよい。
【００６７】
図１３は携帯取外し時表示手段５ｅの処理プログラムのフローチャートを示し、図中、符号Ｓ４１〜Ｓ４６はフローチャートの各ステップを示す。
【００６８】
携帯取外し時表示手段５ｅは、携帯情報端末３がカーナビゲーション装置２のクレードル４から取り外されたときに、カーナビゲーション装置２の表示装置２ａに表示されている映像等を制御するものである。
【００６９】
すなわち、携帯取外し時表示手段５ｅは、図１３に示すように、まずＳ４１で外部端末、すなわち携帯情報端末３がカーナビゲーション装置２に接続されているか否かを接続検出回路１１を介して判断し、接続されている、と判断したときは、次のＳ４２で、カーナビゲーション装置２の表示装置２ａの表示をそのまま続行する。
【００７０】
一方、Ｓ４１で、携帯情報端末３が接続されていない、つまり、携帯情報端末３がクレードル４から引き抜かれていると検出したときは、次のＳ４３で、カーナビゲーション装置２から外部の携帯情報端末３へ出力すべき映像、例えば子画面用映像や文字データ等非表示情報があるか否かを判断し、Ｎｏ，すなわち、無いと判断したときには、そのまま表示装置２ａの表示を続行する。
【００７１】
しかし、次のＳ４３で、携帯情報端末３へ出力すべき映像や文字データ等があると判断した場合には、次のＳ４５で、その映像等の携帯情報端末３への出力を停止し、その出力すべき映像が子画面であるときには、この子画面を親画面に合成し、例えばマルチウインドウで表示し、終了させる。
【００７２】
したがって、これ以後、カーナビゲーション装置２の表示装置２ａは専らカーナビゲーション装置の表示装置として使用される。
【００７３】
図１４は画像情報最適化手段５ｊの処理プログラムの一例である拡大縮小プログラムのフローチャートを示し、図中、符号Ｓ５１，Ｓ５２はフローチャートの各ステップを示す。
【００７４】
画像情報最適化手段５ｊは、カーナビゲーション装置２の表示装置２ａの表示画面の方が携帯情報端末３の表示装置３ａの表示画面よりもサイズが大きく、アスペクト比（縦横比）も相違するので、これら両表示装置２ａ，３ｂ間で表示画像を交換する場合には、その表示画像のサイズの最適化を図ったものである。
【００７５】
すなわち、画像情報最適化手段５ｊは接続検出回路１１を介して携帯情報端末３との接続を検出したときに、主情報端末の一例であるカーナビゲーション装置２の表示装置２ａに表示していない情報を、携帯情報端末３の表示装置３ａに転送して表示させる際、携帯情報端末３の表示装置３ａに最適な大きさで適宜拡大・縮小表示する手段を、具備している。
【００７６】
また、画像情報最適化手段５ｊは、接続検出回路１１を介して携帯情報端末３との接続を検出したときに、携帯情報端末３の表示装置３ａに表示すべき携帯情報を、カーナビゲーション装置２の表示装置２ａに表示する際、カーナビゲーション装置２の表示装置２ａに最適な大きさで適宜拡大・縮小表示する手段を、具備している。
【００７７】
図１４に示すように画像情報最適化手段５ｊは、例えばカーナビゲーション装置２側で生成したカーナビゲーション情報等の情報を携帯情報端末３の表示装置３ａへ転送して表示させる場合は、まずＳ１で、その携帯情報端末３の表示装置３ａの表示画面のアスペクト比を含むサイズを示すサイズ情報を、そのサイズ情報を予め記録してあるメモリから読み出して画面サイズを取得する。
【００７８】
次のＳ２では、携帯情報端末３に転送すべきカーナビゲーション装置２側の転送情報を携帯情報端末３の表示装置３ａの表示画面に適合したサイズないしアスペクト比に縮小して表示する。
【００７９】
これとは逆に、携帯情報端末３の表示装置３ａに表示すべき携帯表示情報を、カーナビゲーション装置２の表示装置２ａで表示させる場合には、Ｓ２で、その携帯表示情報を、カーナビゲーション装置２の表示装置２ａの表示画面のサイズないしアスペクト比に適合したサイズに拡大して表示する。
【００８０】
したがって、カーナビゲーション装置２の表示装置２ａと、携帯情報端末３の表示装置３ａとの間で、表示情報を交換して表示する場合でも、これら情報を各々の表示画面のサイズに適合したサイズでそれぞれ表示することができる。なお、ユーザの縮小ないし拡大操作に応じて両表示装置２ａ，３ａの表示情報を適宜拡大ないし縮小し得るように構成してもよい。
【００８１】
図１５は本発明の第２実施形態に係るカーナビゲーション装置２ｘのハードウエア構成を示すブロック図である。このカーナビゲーション装置２ｘは、上記した図１で示すカーナビゲーション装置２のハードウエア構成中、グラフィックコントローラ６に、同画面合成装置７の画面合成機能を付与して一体に構成することにより、グラフィックコントローラ６ｘに構成している点と、ＴＶチューナ映像入力ＩＦ８を省略した点等に特徴がある。
【００８２】
図１６は本発明の第３実施形態に係るカーナビゲーション装置２ｙのハードウエア構成を示すブロック図である。このカーナビゲーション装置２ｙは、上記した図１で示すカーナビゲーション装置２の画面合成装置７の画面合成機能を上記ＣＰＵ５に持たせてＣＰＵ５ｙに構成した点に特徴がある。
【００８３】
なお、上記実施形態では、携帯情報端末３をクレードル４内に挿入して装着したときに、携帯情報端末３とカーナビゲーション装置２との物理的接続を検出する場合について説明したが、本発明はこれに限定されるものではなく、例えば図１７に示すように携帯情報端末３を、これからアクセス用の電波や赤外線等の光を出力させる出力部を設ける一方、カーナビゲーション装置２に、これらアクセス用の電波や赤外線等の光を受信し、その受信強度が所定の閾値以上を検出したとき、携帯情報端末３とカーナビゲーション装置２との接続を検出するように構成してもよい。
【００８４】
また、上記ＣＰＵ５に、携帯情報表示手段５ｆ、操作パネル表示手段５ｇ、操作機能変更手段５ｈ、リモコン機能付与手段５ｉをそれぞれ設けてもよい。
【００８５】
すなわち、携帯情報表示手段５ｆは、ＣＰＵ５が接続検出回路１１を介して携帯情報端末３がカーナビゲーション装置２に接続された状態を検出したときに、図８に示すように携帯情報端末３の表示装置３ａに表示されている映像Ｗｃを、カーナビゲーション装置２に転送し、それまでその表示装置２ａに表示されていた映像を強制的に消去する一方、この映像Ｗｃを表示装置２ａに強制的に表示させるものであり、図８で示す主，補助画面入替表示手段５ｂとは、カーナビゲーション装置２の表示装置２ａに何らかの映像が表示されているか否かに拘らず、携帯情報端末３の表示装置３ａの映像Ｗｃをカーナビゲーション装置２の表示装置２ａに強制的に表示する点で相違する。
【００８６】
この携帯情報表示手段５ｆによれば、携帯情報端末３の表示装置３ａに表示されている小さい映像を、カーナビゲーション装置２の表示装置２ａの大きい画面で表示するので、その映像が見認し易くなる。また、第２の携帯情報表示手段は、カーナビゲーション装置２の表示装置２ａに何らの映像も表示されていないときに限って、携帯情報端末３の表示装置３ａに表示されている映像Ｗｃを、カーナビゲーション装置２の表示装置２ａに表示させるように構成されている。
【００８７】
操作パネル表示手段５ｇは、ＣＰＵ５が接続検出回路１１を介して携帯情報端末３がカーナビゲーション装置２に接続された状態を検出したときに、カーナビゲーション装置２の表示装置２ａを操作する、例えばＤＶＤ操作キーやチャンネル切替キー等の種々の操作具を配設した操作パネルを、携帯情報端末３の表示装置３ａに表示する機能を有する。
【００８８】
この操作パネル表示手段５ｇによれば、多くの操作具を配設した操作パネルを携帯情報端末３の表示装置３ａで見ることができるので、所要の操作具を見つけ易い。
【００８９】
操作機能変更手段５ｈは、ＣＰＵ５が接続検出回路１１を介して携帯情報端末３がカーナビゲーション装置２に接続された状態を検出したときに、カーナビゲーション装置２と携帯情報端末３とに装備されているスイッチ等の操作具の機能を強制的に変更するものである。これはカーナビゲーション装置２に携帯情報端末３を接続すると、例えば画像入替キーや映像の拡大縮小キー等必要な操作具類が増加するので、これに対応することができる。また、カーナビゲーション装置２側の例えばチャンネル切替キーを表示切替キーに変更させることにより、携帯情報端末３側のチャンネル切替キーとして使用することができる。
【００９０】
リモコン機能付与手段５ｉは、ＣＰＵ５が接続検出回路１１を介して携帯情報端末３がカーナビゲーション装置２に接続された状態を検出したときに、携帯情報端末３に、カーナビゲーション装置２の表示装置２ａの表示を遠隔制御するリモコン機能を付与するものである。
【００９１】
したがって、このリモコン機能付与手段５ｉによれば、携帯情報端末３側の操作キー等の操作具を適宜操作することにより、カーナビゲーション装置２を適宜遠隔制御することができる。
【００９２】
さらに、上記実施形態では、主情報端末の一例としてカーナビゲーション装置２を使用する場合について述べたが、本発明はこれに限定されるものではなく、例えば車載用ＴＶ（テレビ）受像機等でもよく、表示装置を備えている情報端末機器であればよい。また、携帯情報端末としては、車載用のＴＶ受像機や、表示装置を備えたＤＶＤ等記録媒体再生装置でもよい。
【図面の簡単な説明】
【００９３】
【図１】本発明の一実施形態に係る情報表示システムの一例の外観正面図。
【図２】図１で示すカーナビゲーション装置のハードウエア構成を示す機能ブロック図。
【図３】図１で示すカーナビゲーション装置の表示装置において、マルチウインドウ方式で表示された表示例を示す当該表示装置の正面図。
【図４】図３で示すカーナビゲーション装置の表示装置に表示されたマルチウインドウの子画面を親画面から分離して携帯情報端末の表示装置に表示したときの表示例を示す情報表示システムの正面図。
【図５】図２で示す多重表示情報分離手段の処理プログラムのフローチャート。
【図６】図２で示す主，補助画面入替表示手段の処理プログラムのフローチャート。
【図７】図２で示す主，補助画面入替表示手段によりカーナビゲーション画面と携帯情報端末画面とを入れ替えて表示する場合の一例を示す情報表示システムの正面図。
【図８】図２で示す主，補助画面入替表示手段または携帯情報端末表示手段により携帯情報端末画面をカーナビゲーション装置の表示装置に表示する場合の一例を示す情報表示システムの正面図。
【図９】図２で示す非表示情報転送表示手段の処理プログラムのフローチャート。
【図１０】図２で示す非表示情報転送表示手段により文字情報を携帯情報端末の表示装置に表示する場合の一例を示す情報表示システムの正面図。
【図１１】図２で示す分割拡大表示手段の処理プログラムのフローチャート。
【図１２】図２で示す分割拡大表示手段による表示例を示す情報表示システムの正面図。
【図１３】図２で示す携帯取外し時表示手段の処理プログラムのフローチャート。
【図１４】図２で示す画像情報最適化手段の処理プログラムのフローチャート。
【図１５】本発明の第２実施形態に係るカーナビゲーション装置のハードウエア構成を示す機能ブロック図。
【図１６】本発明の第３実施形態に係るカーナビゲーション装置のハードウエア構成を示す機能ブロック図。
【図１７】本発明の他の実施形態に係る情報表示システムの正面図。
【符号の説明】
【００９４】
１  情報表示システム
２  カーナビゲーション装置
２ａ  表示装置
３  携帯情報端末
３ａ  表示装置
４  クレードル
５  ＣＰＵ
５ａ  多重表示情報分離手段
５ｂ  主，補助画面入替表示手段
５ｃ  非表示情報転送手段
５ｄ  分割拡大表示手段
５ｅ  携帯取外し時表示手段
５ｆ  携帯情報表示手段
５ｇ  操作パネル表示手段
５ｈ  操作機能変更手段
５ｉ  リモコン機能付与手段
５ｊ  画像情報最適化手段
【図１】
2005284886.tif 000003
【図２】
2005284886.tif 000004
【図３】
2005284886.tif 000005
【図４】
2005284886.tif 000006
【図５】
2005284886.tif 000007
【図６】
2005284886.tif 000008
【図７】
2005284886.tif 000009
【図８】
2005284886.tif 000010
【図９】
2005284886.tif 000011
【図１０】
2005284886.tif 000012
【図１１】
2005284886.tif 000013
【図１２】
2005284886.tif 000014
【図１３】
2005284886.tif 000015
【図１４】
2005284886.tif 000016
【図１５】
2005284886.tif 000017
【図１６】
2005284886.tif 000018
【図１７】
2005284886.tif 000019